(57)【特許請求の範囲】
【請求項１】
複数の絶縁体層が積層されて構成され、可撓性を有する素体と、
前記素体に設けられている線状の信号線と、
前記絶縁体層を介して前記信号線と対向している第１のグランド導体と、
前記信号線に沿って延在している第２のグランド導体と、
前記第１のグランド導体と前記第２のグランド導体とを接続する層間接続部であって、前記絶縁体層を貫通する複数の層間接続導体が接続されることにより構成されている層間接続部と、
を備えており、
前記層間接続部は、積層方向において隣り合う前記絶縁体層を貫通し、積層方向から平面視したときに中心軸が重ならない２つ以上の前記層間接続導体を含んでいること、
を特徴とする高周波信号伝送線路。
【請求項２】
前記層間接続部において、積層方向において隣り合う前記絶縁体層を貫通している前記層間接続導体の中心軸同士は、積層方向から平面視したときに、全て重なっていないこと、
を特徴とする請求項１に記載の高周波信号伝送線路。
【請求項３】
全ての前記層間接続導体の中心軸は、積層方向から平面視したときに重なっていないこと、
を特徴とする請求項２に記載の高周波信号伝送線路。
【請求項４】
前記複数の層間接続導体の中心軸は、積層方向から平面視したときに、前記信号線が延在している方向に沿って並んでいること、
を特徴とする請求項２又は請求項３のいずれかに記載の高周波信号伝送線路。
【請求項５】
前記層間接続部は、中心軸が重ならない前記２つの層間接続導体を接続し、かつ、前記絶縁体層上に設けられている接続導体を、含んでいること、
を特徴とする請求項１ないし請求項４のいずれかに記載の高周波信号伝送線路。
【請求項６】
前記第２のグランド導体は、前記信号線に関して前記第１のグランド導体の反対側に設けられ、かつ、前記絶縁体層を介して該信号線と対向していること、
を特徴とする請求項１ないし請求項５のいずれかに記載の高周波信号伝送線路。
【請求項７】
前記第２のグランド導体には、前記信号線に沿って並ぶ複数の開口が設けられており、
前記層間接続部は、隣り合う前記開口に挟まれた領域において前記第２のグランド導体に接続されていること、
を特徴とする請求項６に記載の高周波信号伝送線路。
【請求項８】
前記第１のグランド導体には、積層方向から平面視したときに、前記第２のグランド導体に前記層間接続部が接続されている部分と重なる部分に導体が設けられていない空白部が設けられていること、
を特徴とする請求項１ないし請求項７のいずれかに記載の高周波信号伝送線路。
【請求項９】
前記複数の層間接続部は、前記信号線が延在する方向及び積層方向に直交する方向から平面視したときに、積層方向に対して同方向に傾斜していること、
を特徴とする請求項１ないし請求項８のいずれかに記載の高周波信号伝送線路。
【請求項１０】
高周波信号伝送線路と、
前記高周波信号伝送線路を収容している電子機器と、
を備えており、
前記高周波信号伝送線路は、
複数の絶縁体層が積層されて構成され、可撓性を有する素体と、
前記素体に設けられている線状の信号線と、
前記絶縁体層を介して前記信号線と対向している第１のグランド導体と、
前記信号線に沿って延在している第２のグランド導体と、
前記第１のグランド導体と前記第２のグランド導体とを接続する層間接続部であって、前記絶縁体層を貫通する複数の層間接続導体が接続されることにより構成されている層間接続部と、
を備えており、
前記層間接続部は、積層方向において隣り合う前記絶縁体層を貫通し、積層方向から平面視したときに中心軸が重ならない２つ以上の前記層間接続導体を含んでいること、
を特徴とする電子機器。
【発明の詳細な説明】
【技術分野】
【０００１】
本発明は、高周波信号伝送線路及び電子機器に関し、より特定的には、高周波信号が伝送される高周波信号伝送線路及び電子機器に関する。
【背景技術】
【０００２】
従来の高周波信号伝送線路としては、例えば、特許文献１に記載の信号線路が知られている。特許文献１に記載の信号線路は、積層体、信号線、第１のグランド導体、第２のグランド導体及びビアホール導体を備えている。積層体は、複数の絶縁体層が積層されて構成されている。信号線は、積層体内に設けられている線状の導体である。第１のグランド導体及び第２のグランド導体は、絶縁体層と共に積層され、信号線を挟んで互いに対向している。信号線、第１のグランド導体及び第２のグランド導体は、ストリップライン構造をなしている。ビアホール導体は、絶縁体層を貫通しており、第１のグランド導体と第２のグランド導体とを接続している。【０００３】
以上のように構成された特許文献１に記載の信号線路では、積層体を湾曲させることが困難であるという問題がある。図１５は、特許文献１に記載の信号線路５００のビアホール導体Ｂ５０２，Ｂ５０４を示した断面構造図である。より詳細には、該信号線路では、複数のビアホール導体Ｂ５０２，Ｂ５０４が直線状に接続されている。積層体５０２が上側に突出するように湾曲する場合には、上側に位置する絶縁体層５０２ａが左右方向に引っ張られ、下側に位置する絶縁体層５０２ｄが左右方向から圧縮される。これにより、ビアホール導体Ｂ５０２，Ｂ５０４は、絶縁体層５０２ａ，５０２ｄの復元力により上下方向から力Ｆを受ける。ビアホール導体Ｂ５０２，Ｂ５０４は、力Ｆを受けることにより、矢印αに示す左右方向に倒れる。以上の動作により、積層体５０２が湾曲する。【０００４】
ところが、図１５に示すように、力Ｆは、ビアホール導体Ｂ５０２、Ｂ５０４を左右方向に倒す成分の力を殆ど有していない。そのため、積層体５０２を湾曲させるためには、大きな力Ｆを加えてビアホール導体Ｂ５０２，Ｂ５０４を左右方向に倒す必要がある。よって、特許文献１に記載の信号線路５００では、積層体５０２を湾曲させることが困難であった。
【先行技術文献】
【特許文献】
【０００５】
【特許文献１】国際公開第２０１１／００７６６０号パンフレット
【発明の概要】
【発明が解決しようとする課題】
【０００６】
そこで、本発明の目的は、容易に湾曲させることができる高周波信号伝送線路及び電子機器を提供することである。
【課題を解決するための手段】
【０００７】
本発明の一形態に係る高周波信号伝送線路は、複数の絶縁体層が積層されて構成され、可撓性を有する素体と、前記素体に設けられている線状の信号線と、前記絶縁体層を介して前記信号線と対向している第１のグランド導体と、前記信号線に沿って延在している第２のグランド導体と、前記第１のグランド導体と前記第２のグランド導体とを接続する層間接続部であって、前記絶縁体層を貫通する複数の層間接続導体が接続されることにより構成されている層間接続部と、を備えており、前記層間接続部は、積層方向において隣り合う前記絶縁体層を貫通し、積層方向から平面視したときに中心軸が重ならない２つ以上の前記層間接続導体を含んでいること、を特徴とする。【０００８】
本発明の一形態に係る電子機器は、高周波信号伝送線路と、前記高周波信号伝送線路を収容している電子機器と、を備えており、前記高周波信号伝送線路は、複数の絶縁体層が積層されて構成され、可撓性を有する素体と、前記素体に設けられている線状の信号線と、前記絶縁体層を介して前記信号線と対向している第１のグランド導体と、前記信号線に沿って延在している第２のグランド導体と、前記第１のグランド導体と前記第２のグランド導体とを接続する層間接続部であって、前記絶縁体層を貫通する複数の層間接続導体が接続されることにより構成されている層間接続部と、を備えており、前記層間接続部は、積層方向において隣り合う前記絶縁体層を貫通し、積層方向から平面視したときに中心軸が重ならない２つ以上の前記層間接続導体を含んでいること、を特徴とする。
【発明の効果】
【０００９】
本発明によれば、高周波信号伝送線路を容易に湾曲させることができる。
【図面の簡単な説明】
【００１０】
【図１】一実施形態に係る高周波信号伝送線路の外観斜視図である。
【図２】一実施形態に係る高周波信号伝送線路の誘電体素体の分解図である。
【図３】一実施形態に係る高周波信号伝送線路の断面構造図である。
【図４】高周波信号伝送線路のコネクタの外観斜視図及び断面構造図である。
【図５】高周波信号伝送線路が用いられた電子機器をｙ軸方向及びｚ軸方向から平面視した図である。
【図６】比較例に係る高周波信号伝送線路の層間接続部の断面構造図である。
【図７】第１の変形例に係る高周波信号伝送線路の断面構造図である。
【図８】第２の変形例に係る高周波信号伝送線路の断面構造図である。
【図９】第３の変形例に係る高周波信号伝送線路の断面構造図である。
【図１０】第４の変形例に係る高周波信号伝送線路の誘電体素体の分解図である。
【図１１】第４の変形例に係る高周波信号伝送線路の層間接続部をｚ軸方向から透視した図である。
【図１２】第５の変形例に係る高周波信号伝送線路の誘電体素体の分解図である。
【図１３】第５の変形例に係る高周波信号伝送線路の断面構造図である。
【図１４】第６の変形例に係る高周波信号伝送線路の誘電体素体の分解図である。
【図１５】特許文献１に記載の信号線路のビアホール導体を示した断面構造図である。
【発明を実施するための形態】
【００１１】
以下に、本発明の実施形態に係る高周波信号伝送線路及び電子機器について図面を参照しながら説明する。
【００１２】
（高周波信号伝送線路の構成）
以下に、本発明の一実施形態に係る高周波信号伝送線路の構成について図面を参照しながら説明する。図１は、一実施形態に係る高周波信号伝送線路１０の外観斜視図である。図２は、一実施形態に係る高周波信号伝送線路１０の誘電体素体１２の分解図である。図３は、一実施形態に係る高周波信号伝送線路１０の断面構造図である。図３では、ビアホール導体Ｂ１〜Ｂ８及び接続導体２５ａ，２５ｂ，２６ａ，２６ｂ，２７ａ，２７ｂを重ねて図示した。図１ないし図３において、高周波信号伝送線路１０の積層方向をｚ軸方向と定義する。また、高周波信号伝送線路１０の長手方向をｘ軸方向と定義し、ｘ軸方向及びｚ軸方向に直交する方向をｙ軸方向と定義する。
【００１３】
高周波信号伝送線路１０は、図１ないし図３に示すように、誘電体素体１２、外部端子１６（１６ａ，１６ｂ）、信号線２０、グランド導体２２，２４、層間接続部Ｃ１，Ｃ２（図３参照）及びコネクタ１００ａ，１００ｂを備えている。
【００１４】
誘電体素体１２は、ｚ軸方向から平面視したときに、ｘ軸方向に延在しており、線路部１２ａ、接続部１２ｂ，１２ｃを含んでいる。誘電体素体１２は、図２に示すように、保護層１４及び誘電体シート（絶縁体層）１８（１８ａ〜１８ｅ）がｚ軸方向の正方向側から負方向側へとこの順に積層されて構成されている可撓性の積層体である。以下では、誘電体素体１２のｚ軸方向の正方向側の主面を表面と称し、誘電体素体１２のｚ軸方向の負方向側の主面を裏面と称す。
【００１５】
線路部１２ａは、ｘ軸方向に延在している。接続部１２ｂ，１２ｃはそれぞれ、線路部１２ａのｘ軸方向の負方向側の端部及びｘ軸方向の正方向側の端部に接続されており、矩形状をなしている。接続部１２ｂ，１２ｃのｙ軸方向の幅は、線路部１２ａのｙ軸方向の幅よりも広い。
【００１６】
誘電体シート１８は、ｚ軸方向から平面視したときに、ｘ軸方向に延在しており、誘電体素体１２と同じ形状をなしている。誘電体シート１８は、ポリイミドや液晶ポリマー等の可撓性を有する熱可塑性樹脂により構成されている。誘電体シート１８の積層後の厚さは、例えば、５０μｍである。以下では、誘電体シート１８のｚ軸方向の正方向側の主面を表面と称し、誘電体シート１８のｚ軸方向の負方向側の主面を裏面と称す。
【００１７】
また、誘電体シート１８ａは、線路部１８ａ−ａ及び接続部１８ａ−ｂ，１８ａ−ｃにより構成されている。誘電体シート１８ｂは、線路部１８ｂ−ａ及び接続部１８ｂ−ｂ，１８ｂ−ｃにより構成されている。誘電体シート１８ｃは、線路部１８ｃ−ａ及び接続部１８ｃ−ｂ，１８ｃ−ｃにより構成されている。誘電体シート１８ｄは、線路部１８ｄ−ａ及び接続部１８ｄ−ｂ，１８ｄ−ｃにより構成されている。誘電体シート１８ｅは、線路部１８ｅ−ａ及び接続部１８ｅ−ｂ，１８ｅ−ｃにより構成されている。線路部１８ａ−ａ，１８ｂ−ａ，１８ｃ−ａ，１８ｄ−ａ，１８ｅ−ａは、線路部１２ａを構成している。接続部１８ａ−ｂ，１８ｂ−ｂ，１８ｃ−ｂ，１８ｄ−ｂ，１８ｅ−ｂは、接続部１２ｂを構成している。接続部１８ａ−ｃ，１８ｂ−ｃ，１８ｃ−ｃ，１８ｄ−ｃ，１８ｅ−ｃは、接続部１２ｃを構成している。
【００１８】
外部端子１６ａは、図１及び図２に示すように、接続部１８ａ−ｂの表面の中央近傍に設けられている矩形状の導体である。外部端子１６ｂは、図１及び図２に示すように、接続部１８ａ−ｃの表面の中央近傍に設けられている矩形状の導体である。外部端子１６ａ，１６ｂは、銀や銅を主成分とする比抵抗の小さな金属材料により作製されている。また、外部端子１６ａ，１６ｂの表面には、金めっきが施されている。
【００１９】
信号線２０は、図２に示すように、誘電体素体１２内に設けられている線状導体であり、誘電体シート１８ｄの表面をｘ軸方向に延在している。信号線２０の両端はそれぞれ、ｚ軸方向から平面視したときに、外部端子１６ａ，１６ｂと重なっている。信号線２０は、銀や銅を主成分とする比抵抗の小さな金属材料により作製されている。
【００２０】
ビアホール導体ｂ１１，ｂ１３，ｂ１５はそれぞれ、誘電体シート１８ａ〜１８ｃの接続部１８ａ−ｂ〜１８ｃ−ｂをｚ軸方向に貫通しており、互いに接続されることにより１本のビアホール導体を構成している。そして、ビアホール導体ｂ１１，ｂ１３，ｂ１５は、外部端子１６ａと信号線２０のｘ軸方向の負方向側の端部を接続している。
【００２１】
ビアホール導体ｂ１２，ｂ１４，ｂ１６はそれぞれ、誘電体シート１８ａ〜１８ｃの接続部１８ａ−ｃ〜１８ｃ−ｃをｚ軸方向に貫通しており、互いに接続されることにより１本のビアホール導体を構成している。そして、ビアホール導体ｂ１２，ｂ１４，ｂ１６は、外部端子１６ｂと信号線２０のｘ軸方向の正方向側の端部を接続している。ビアホール導体ｂ１１〜ｂ１６は、銀や銅を主成分とする比抵抗の小さな金属材料により作製されている。
【００２２】
グランド導体２２（第１のグランド導体）は、図２及び図３に示すように、誘電体素体１２内において信号線２０よりもｚ軸方向の正方向側に設けられ、より詳細には、誘電体シート１８ａの表面に設けられている。グランド導体２２は、誘電体シート１８ａの表面において信号線２０に沿ってｘ軸方向に延在しており、図２に示すように、誘電体シート１８ａ〜１８ｃを介して信号線２０と対向している。
【００２３】
また、グランド導体２２は、線路部２２ａ、端子部２２ｂ，２２ｃにより構成されている。線路部２２ａは、線路部１８ａ−ａの表面に設けられ、ｘ軸方向に延在している。線路部２２ａには、実質的に開口が設けられていない。すなわち、線路部２２ａは、線路部１２ａにおける信号線２０に沿ってｘ軸方向に連続的に延在する電極、所謂ベタ状の電極である。ただし、線路部２２ａは線路部１２ａを完全に覆っている必要はなく、例えば、誘電体シート１８の熱可塑性樹脂が熱圧着される際に発生するガスを逃がすために線路部２２ａの所定の位置に微小な穴などが設けられるものであってもよい。線路部２２ａは、銀や銅を主成分とする比抵抗の小さな金属材料により作製されている。
【００２４】
ここで、高周波信号伝送線路１０の特性インピーダンスは、主に、信号線２０とグランド導体２２との対向面積及び距離、並びに、誘電体シート１８ａ〜１８ｅの比誘電率に基づいて定まる。そこで、高周波信号伝送線路１０の特性インピーダンスを５０Ωに設定する場合には、例えば、信号線２０とグランド導体２２によって高周波信号伝送線路１０の特性インピーダンスが５０Ωよりもやや高めの５５Ωとなるように設計する。そして、信号線２０とグランド導体２２と後述するグランド導体２４とによって高周波信号伝送線路１０の特性インピーダンスが５０Ωとなるように、後述するグランド導体２４の形状を調整する。以上のように、グランド導体２２は、基準グランド導体としての役割を果たす。
【００２５】
端子部２２ｂは、接続部１８ａ−ｂの表面に設けられ、外部端子１６ａの周囲を囲む矩形状の環をなしている。端子部２２ｂは、線路部２２ａのｘ軸方向の負方向側の端部に接続されている。端子部２２ｃは、接続部１８ａ−ｃの表面に設けられ、外部端子１６ｂの周囲を囲む環状の矩形状をなしている。端子部２２ｃは、線路部２２ａのｘ軸方向の正方向側の端部に接続されている。
【００２６】
グランド導体２４（第２のグランド導体）は、図２及び図３に示すように、信号線２０に沿ってｘ軸方向に延在している。より詳細には、グランド導体２４は、誘電体素体１２内において信号線２０よりもｚ軸方向の負方向側（信号線２０に関してグランド導体２２の反対側）に設けられ、具体的には、誘電体シート１８ｅの表面に設けられている。グランド導体２４は、誘電体シート１８ｅの表面において信号線２０に沿ってｘ軸方向に延在しており、図２に示すように、誘電体シート１８ｄを介して信号線２０と対向している。グランド導体２４は、銀や銅を主成分とする比抵抗の小さな金属材料により作製されている。
【００２７】
また、グランド導体２４は、線路部２４ａ及び端子部２４ｂ，２４ｃにより構成されている。線路部２４ａは、線路部１８ｅ−ａの表面に設けられ、ｘ軸方向に延在している。そして、線路部２４ａは、導体層が形成されていない複数の開口３０と導体層が形成されている部分である複数のブリッジ部６０とが交互に信号線２０に沿って等間隔に並ぶように設けられることにより、はしご状をなしている。開口３０は、図２に示すように、ｚ軸方向から平面視したときに、信号線２０と重なっている。これにより、信号線２０は、ｚ軸方向から平面視したときに、開口３０とブリッジ部６０と交互に重なっている。
【００２８】
ここで、開口３０の形状について説明する。開口３０は、開口部３０ａ〜３０ｃにより構成されている。開口部３０ｂは、ｘ軸方向に延在する長方形状の開口である。開口部３０ａは、開口部３０ｂのｘ軸方向の負方向側に設けられている矩形状の開口である。開口部３０ｃは、開口部３０ｂのｘ軸方向の正方向側に設けられている矩形状の開口である。開口部３０ｂのｙ軸方向の幅Ｗ１は、開口部３０ａ，３０ｃのｙ軸方向の幅Ｗ２よりも大きい。これにより、開口３０は、十字型をなしている。また、信号線２０は、ｚ軸方向から平面視したときに、開口３０のｙ軸方向の中央を横切っている。
【００２９】
以下では、高周波信号伝送線路１０において、開口部３０ｂが設けられている領域を領域Ａ１とし、ブリッジ部６０が設けられている領域を領域Ａ２とし、開口部３０ａが設けられている領域を領域Ａ３とし、開口部３０ｃが設けられている領域を領域Ａ４とする。
【００３０】
端子部２４ｂは、接続部１８ｅ−ｂの表面に設けられ、接続部１８ｅ−ｂの中央を囲む矩形状の環をなしている。端子部２４ｂは、線路部２４ａのｘ軸方向の負方向側の端部に接続されている。
【００３１】
端子部２４ｃは、接続部１８ｅ−ｃの表面に設けられ、接続部１８ｅ−ｃの中央を囲む矩形状の環をなしている。端子部２４ｃは、線路部２４ａのｘ軸方向の正方向側の端部に接続されている。
【００３２】
グランド導体２４は、シールドとしても機能する補助グランド導体である。また、グランド導体２４は、前記の通り、高周波信号伝送線路１０の特性インピーダンスが５０Ωとなるように最終的な調整を行うために設計されている。具体的には、開口３０の大きさやブリッジ部６０の線幅等を設計する。
【００３３】
以上のように、グランド導体２２には開口が設けられず、グランド導体２４には開口３０が設けられている。よって、グランド導体２４と信号線２０とが対向している面積は、グランド導体２２と信号線２０とが対向している面積よりも小さい。
【００３４】
また、図２に示すように、領域Ａ１における信号線２０の線幅Ｗａは、領域Ａ２，Ａ３，Ａ４における信号線２０の線幅Ｗｂよりも大きい。領域Ａ１では、信号線２０とグランド導体２４との距離が大きいので、線幅Ｗａを大きくして信号線２０の高周波抵抗値（導体損）を小さくしている。一方、領域Ａ２，Ａ３，Ａ４では、信号線２０とグランド導体２４との距離が小さいので、線幅Ｗｂを小さくして信号線のインピーダンスの低下を抑制している。
【００３５】
層間接続部Ｃ１は、グランド導体２２の線路部２２ａとグランド導体２４の線路部２４ａとを接続し、信号線２０よりもｙ軸方向の正方向側において、ｘ軸方向に一列に並ぶように複数設けられている。層間接続部Ｃ１は、ビアホール導体（層間接続導体）Ｂ１〜Ｂ４及び接続導体２５ａ〜２７ａが接続されることにより構成されている。
【００３６】
ビアホール導体Ｂ１は、誘電体シート１８ａの線路部１８ａ−ａをｚ軸方向に貫通しており、信号線２０よりもｙ軸方向の正方向側において、ｘ軸方向に一列に並ぶように複数設けられている。ビアホール導体Ｂ２は、誘電体シート１８ｂの線路部１８ｂ−ａをｚ軸方向に貫通しており、信号線２０よりもｙ軸方向の正方向側において、ｘ軸方向に一列に並ぶように複数設けられている。ビアホール導体Ｂ２の中心軸は、ビアホール導体Ｂ１の中心軸よりもｘ軸方向の正方向側に位置している。ビアホール導体Ｂ３は、誘電体シート１８ｃの線路部１８ｃ−ａをｚ軸方向に貫通しており、信号線２０よりもｙ軸方向の正方向側において、ｘ軸方向に一列に並ぶように複数設けられている。ビアホール導体Ｂ３の中心軸は、ビアホール導体Ｂ２の中心軸よりもｘ軸方向の正方向側に位置している。ビアホール導体Ｂ４は、誘電体シート１８ｄの線路部１８ｄ−ａをｚ軸方向に貫通しており、信号線２０よりもｙ軸方向の正方向側において、ｘ軸方向に一列に並ぶように複数設けられている。ビアホール導体Ｂ４の中心軸は、ビアホール導体Ｂ３の中心軸よりもｘ軸方向の正方向側に位置している。ビアホール導体Ｂ１〜Ｂ４は、銀や銅を主成分とする比抵抗の小さな金属材料により作製されている。
【００３７】
以上のように、ビアホール導体Ｂ１〜Ｂ４において、ｚ軸方向において隣り合う誘電体シート１８ａ〜１８ｄを貫通しているビアホール導体Ｂ１〜Ｂ４の中心軸同士は、ｚ軸方向から平面視したときに、全て重なっていない。すなわち、ビアホール導体Ｂ１の中心は、ｚ軸方向から平面視したときに、ビアホール導体Ｂ２の中心と重なっていない。また、ビアホール導体Ｂ２の中心は、ｚ軸方向から平面視したときに、ビアホール導体Ｂ１，Ｂ３の中心と重なっていない。ビアホール導体Ｂ３の中心は、ｚ軸方向から平面視したときに、ビアホール導体Ｂ２，Ｂ４の中心と重なっていない。ビアホール導体Ｂ４の中心は、ｚ軸方向から平面視したときに、ビアホール導体Ｂ３の中心と重なっていない。
【００３８】
更に、高周波信号伝送線路１０では、全てのビアホール導体Ｂ１〜Ｂ４の中心軸は、ｚ軸方向から平面視したときに重なっていない。そして、ビアホール導体Ｂ１〜Ｂ４の中心軸は、ｚ軸方向から平面視したときに、信号線２０に沿ってｘ軸方向の負方向側から正方向側へとこの順に並んでいる。
【００３９】
接続導体２５ａは、誘電体シート１８ｂの線路部１８ｂ−ａに設けられ、信号線２０よりもｙ軸方向の正方向側において、ｘ軸方向に一列に並ぶように複数設けられている。接続導体２５ａは、ｘ軸方向に延在する長方形状をなし、中心軸が重ならないビアホール導体Ｂ１とビアホール導体Ｂ２とを接続している。接続導体２５ａのｘ軸方向の負方向側の端部には、ビアホール導体Ｂ１のｚ軸方向の負方向側の端部が接続されている。接続導体２５ａのｘ軸方向の正方向側の端部には、ビアホール導体Ｂ２のｚ軸方向の正方向側の端部が接続されている。
【００４０】
接続導体２６ａは、誘電体シート１８ｃの線路部１８ｃ−ａに設けられ、信号線２０よりもｙ軸方向の正方向側において、ｘ軸方向に一列に並ぶように複数設けられている。接続導体２６ａは、ｘ軸方向に延在する長方形状をなし、中心軸が重ならないビアホール導体Ｂ２とビアホール導体Ｂ３とを接続している。接続導体２６ａのｘ軸方向の負方向側の端部には、ビアホール導体Ｂ２のｚ軸方向の負方向側の端部が接続されている。接続導体２６ａのｘ軸方向の正方向側の端部には、ビアホール導体Ｂ３のｚ軸方向の正方向側の端部が接続されている。
【００４１】
接続導体２７ａは、誘電体シート１８ｄの線路部１８ｄ−ａに設けられ、信号線２０よりもｙ軸方向の正方向側において、ｘ軸方向に一列に並ぶように複数設けられている。接続導体２７ａは、Ｌ字型をなし、中心軸が重ならないビアホール導体Ｂ３とビアホール導体Ｂ４とを接続している。接続導体２７ａのｘ軸方向の負方向側の端部には、ビアホール導体Ｂ３のｚ軸方向の負方向側の端部が接続されている。接続導体２７ａのｘ軸方向の正方向側の端部には、ビアホール導体Ｂ４のｚ軸方向の正方向側の端部が接続されている。
【００４２】
以上のように構成された層間接続部Ｃ１は、図３に示すように、ｘ軸方向の正方向側に進行するにしたがってｚ軸方向の負方向側に進行する階段状をなしている。また、本実施形態に係る高周波信号伝送線路１０では、全ての層間接続部Ｃ１は、ｙ軸方向から平面視したときに、同方向に傾斜している。
【００４３】
層間接続部Ｃ２は、グランド導体２２の線路部２２ａとグランド導体２４の線路部２４ａとを接続し、信号線２０よりもｙ軸方向の負方向側において、ｘ軸方向に一列に並ぶように複数設けられている。層間接続部Ｃ２は、ビアホール導体（層間接続導体）Ｂ５〜Ｂ８及び接続導体２５ｂ〜２７ｂが接続されることにより構成されている。
【００４４】
ビアホール導体Ｂ５は、誘電体シート１８ａの線路部１８ａ−ａをｚ軸方向に貫通しており、信号線２０よりもｙ軸方向の負方向側において、ｘ軸方向に一列に並ぶように複数設けられている。ビアホール導体Ｂ６は、誘電体シート１８ｂの線路部１８ｂ−ａをｚ軸方向に貫通しており、信号線２０よりもｙ軸方向の負方向側において、ｘ軸方向に一列に並ぶように複数設けられている。ビアホール導体Ｂ６の中心軸は、ビアホール導体Ｂ５の中心軸よりもｘ軸方向の正方向側に位置している。ビアホール導体Ｂ７は、誘電体シート１８ｃの線路部１８ｃ−ａをｚ軸方向に貫通しており、信号線２０よりもｙ軸方向の負方向側において、ｘ軸方向に一列に並ぶように複数設けられている。ビアホール導体Ｂ７の中心軸は、ビアホール導体Ｂ６の中心軸よりもｘ軸方向の正方向側に位置している。ビアホール導体Ｂ８は、誘電体シート１８ｄの線路部１８ｄ−ａをｚ軸方向に貫通しており、信号線２０よりもｙ軸方向の負方向側において、ｘ軸方向に一列に並ぶように複数設けられている。ビアホール導体Ｂ８の中心軸は、ビアホール導体Ｂ７の中心軸よりもｘ軸方向の正方向側に位置している。
【００４５】
以上のように、ビアホール導体Ｂ５〜Ｂ８において、ｚ軸方向において隣り合う誘電体シート１８ａ〜１８ｄを貫通しているビアホール導体Ｂ５〜Ｂ８の中心軸同士は、ｚ軸方向から平面視したときに、全て重なっていない。すなわち、ビアホール導体Ｂ５の中心は、ｚ軸方向から平面視したときに、ビアホール導体Ｂ６の中心と重なっていない。また、ビアホール導体Ｂ６の中心は、ｚ軸方向から平面視したときに、ビアホール導体Ｂ５，Ｂ７の中心と重なっていない。ビアホール導体Ｂ７の中心は、ｚ軸方向から平面視したときに、ビアホール導体Ｂ６，Ｂ８の中心と重なっていない。ビアホール導体Ｂ８の中心は、ｚ軸方向から平面視したときに、ビアホール導体Ｂ７の中心と重なっていない。ビアホール導体Ｂ５〜Ｂ８は、銀や銅を主成分とする比抵抗の小さな金属材料により作製されている。
【００４６】
更に、高周波信号伝送線路１０では、全てのビアホール導体Ｂ５〜Ｂ８の中心軸は、ｚ軸方向から平面視したときに重なっていない。そして、ビアホール導体Ｂ５〜Ｂ８の中心軸は、ｚ軸方向から平面視したときに、信号線２０に沿ってｘ軸方向の負方向側から正方向側へとこの順に並んでいる。
【００４７】
接続導体２５ｂは、誘電体シート１８ｂの線路部１８ｂ−ａに設けられ、信号線２０よりもｙ軸方向の負方向側において、ｘ軸方向に一列に並ぶように複数設けられている。接続導体２５ｂは、ｘ軸方向に延在する長方形状をなし、中心軸が重ならないビアホール導体Ｂ５とビアホール導体Ｂ６とを接続している。接続導体２５ｂのｘ軸方向の負方向側の端部には、ビアホール導体Ｂ５のｚ軸方向の負方向側の端部が接続されている。接続導体２５ｂのｘ軸方向の正方向側の端部には、ビアホール導体Ｂ６のｚ軸方向の正方向側の端部が接続されている。
【００４８】
接続導体２６ｂは、誘電体シート１８ｃの線路部１８ｃ−ａに設けられ、信号線２０よりもｙ軸方向の負方向側において、ｘ軸方向に一列に並ぶように複数設けられている。接続導体２６ｂは、ｘ軸方向に延在する長方形状をなし、中心軸が重ならないビアホール導体Ｂ６とビアホール導体Ｂ７とを接続している。接続導体２６ｂのｘ軸方向の負方向側の端部には、ビアホール導体Ｂ６のｚ軸方向の負方向側の端部が接続されている。接続導体２６ｂのｘ軸方向の正方向側の端部には、ビアホール導体Ｂ７のｚ軸方向の正方向側の端部が接続されている。
【００４９】
接続導体２７ｂは、誘電体シート１８ｄの線路部１８ｄ−ａに設けられ、信号線２０よりもｙ軸方向の負方向側において、ｘ軸方向に一列に並ぶように複数設けられている。接続導体２７ｂは、Ｌ字型をなし、中心軸が重ならないビアホール導体Ｂ７とビアホール導体Ｂ８とを接続している。接続導体２７ｂのｘ軸方向の負方向側の端部には、ビアホール導体Ｂ７のｚ軸方向の負方向側の端部が接続されている。接続導体２７ｂのｘ軸方向の正方向側の端部には、ビアホール導体Ｂ８のｚ軸方向の正方向側の端部が接続されている。
【００５０】
以上のように構成された層間接続部Ｃ２は、図３に示すように、ｘ軸方向の正方向側に進行するにしたがってｚ軸方向の負方向側に進行する階段状をなしている。また、本実施形態に係る高周波信号伝送線路１０では、全ての層間接続部Ｃ２は、ｙ軸方向から平面視したときに、同方向に傾斜している。
【００５１】
また、層間接続部Ｃ１，Ｃ２はそれぞれ、隣り合う開口３０に挟まれた領域Ａ２においてグランド導体２４に接続されている。すなわち、ビアホール導体Ｂ４，Ｂ８のｚ軸方向の負方向側の端部は、ブリッジ部６０に接続されている。
【００５２】
以上のように、信号線２０及びグランド導体２２，２４は、トリプレート型のストリップライン構造をなしている。そして、信号線２０とグランド導体２２との間隔は、誘電体シート１８ａ〜１８ｃの合計の厚さと略等しく、例えば、５０μｍ〜３００μｍである。本実施形態では、信号線２０とグランド導体２２との間隔は、１５０μｍである。一方、信号線２０とグランド導体２４との間隔は、誘電体シート１８ｄの厚さと略等しく、例えば、１０μｍ〜１００μｍである。本実施形態では、信号線２０とグランド導体２４との間隔は、５０μｍである。すなわち、誘電体シート１８ａ〜１８ｃの合計の厚さは、誘電体シート１８ｄの厚さよりも大きくなるように設計されている。なお、グランド導体２２，２４のｙ軸方向の幅は例えば約８００μｍである。このように高周波信号伝送線路１０は厚みが薄く、幅が広い高周波信号伝送線路となっている。
【００５３】
保護層１４は、誘電体シート１８ａの表面の略全面を覆っている。これにより、保護層１４は、グランド導体２２を覆っている。保護層１４は、例えば、レジスト材等の可撓性樹脂からなる。
【００５４】
また、保護層１４は、図２に示すように、線路部１４ａ及び接続部１４ｂ，１４ｃにより構成されている。線路部１４ａは、線路部１８ａ−ａの表面の全面を覆うことにより、線路部２２ａを覆っている。
【００５５】
接続部１４ｂは、線路部１４ａのｘ軸方向の負方向側の端部に接続されており、接続部１８ａ−ｂの表面を覆っている。ただし、接続部１４ｂには、開口Ｈａ〜Ｈｄが設けられている。開口Ｈａは、接続部１４ｂの略中央に設けられている矩形状の開口である。外部端子１６ａは、開口Ｈａを介して外部に露出している。また、開口Ｈｂは、開口Ｈａのｙ軸方向の正方向側に設けられている矩形状の開口である。開口Ｈｃは、開口Ｈａのｘ軸方向の負方向側に設けられている矩形状の開口である。開口Ｈｄは、開口Ｈａのｙ軸方向の負方向側に設けられている矩形状の開口である。端子部２２ｂは、開口Ｈｂ〜Ｈｄを介して外部に露出することにより、外部端子として機能する。
【００５６】
接続部１４ｃは、線路部１４ａのｘ軸方向の正方向側の端部に接続されており、接続部１８ａ−ｃの表面を覆っている。ただし、接続部１４ｃには、開口Ｈｅ〜Ｈｈが設けられている。開口Ｈｅは、接続部１４ｃの略中央に設けられている矩形状の開口である。外部端子１６ｂは、開口Ｈｅを介して外部に露出している。また、開口Ｈｆは、開口Ｈｅのｙ軸方向の正方向側に設けられている矩形状の開口である。開口Ｈｇは、開口Ｈｅのｘ軸方向の正方向側に設けられている矩形状の開口である。開口Ｈｈは、開口Ｈｅのｙ軸方向の負方向側に設けられている矩形状の開口である。端子部２２ｃは、開口Ｈｆ〜Ｈｈを介して外部に露出することにより、外部端子として機能する。
【００５７】
コネクタ１００ａ，１００ｂはそれぞれ、接続部１２ｂ，１２ｃの表面上に実装され、信号線２０及びグランド導体２２，２４と電気的に接続される。コネクタ１００ａ，１００ｂの構成は同じであるので、以下にコネクタ１００ｂの構成を例に挙げて説明する。図４は、高周波信号伝送線路１０のコネクタ１００ｂの外観斜視図及び断面構造図である。
【００５８】
コネクタ１００ｂは、図１及び図４に示すように、コネクタ本体１０２、外部端子１０４，１０６及び中心導体１０８及び外部導体１１０により構成されている。コネクタ本体１０２は、矩形状の板に円筒が連結された形状をなしており、樹脂等の絶縁材料により作製されている。
【００５９】
外部端子１０４は、コネクタ本体１０２の板のｚ軸方向の負方向側の面において、外部端子１６ｂと対向する位置に設けられている。外部端子１０６は、コネクタ本体１０２の板のｚ軸方向の負方向側の面において、開口Ｈｆ〜Ｈｈを介して露出している端子部２２ｃに対応する位置に設けられている。
【００６０】
中心導体１０８は、コネクタ本体１０２の円筒の中心に設けられており、外部端子１０４と接続されている。中心導体１０８は、高周波信号が入力又は出力する信号端子である。外部導体１１０は、コネクタ本体１０２の円筒の内周面に設けられており、外部端子１０６と接続されている。外部導体１１０は、接地電位に保たれるグランド端子である。
【００６１】
以上のように構成されたコネクタ１００ｂは、外部端子１０４が外部端子１６ｂと接続され、外部端子１０６が端子部２２ｃと接続されるように、接続部１２ｃの表面上に実装される。これにより、信号線２０は、中心導体１０８に電気的に接続されている。また、グランド導体２２，２４は、外部導体１１０に電気的に接続されている。
【００６２】
高周波信号伝送線路１０は、以下に説明するように用いられる。図５は、高周波信号伝送線路１０が用いられた電子機器２００をｙ軸方向及びｚ軸方向から平面視した図である。
【００６３】
電子機器２００は、高周波信号伝送線路１０、回路基板２０２ａ，２０２ｂ、レセプタクル２０４ａ，２０４ｂ、バッテリーパック（金属体）２０６及び筐体２１０を備えている。
【００６４】
回路基板２０２ａには、例えば、アンテナを含む送信回路又は受信回路が設けられている。回路基板２０２ｂには、例えば、給電回路が設けられている。バッテリーパック２０６は、例えば、リチウムイオン２次電池であり、その表面が金属カバーにより覆われた構造を有している。回路基板２０２ａ、バッテリーパック２０６及び回路基板２０２ｂは、ｘ軸方向の負方向側から正方向側へとこの順に並んでいる。
【００６５】
誘電体素体１２の表面（より正確には、保護層１４）は、バッテリーパック２０６に対して接触している。そして、誘電体素体１２の表面とバッテリーパック２０６とは、接着剤等により固定されている。
【００６６】
レセプタクル２０４ａ，２０４ｂはそれぞれ、回路基板２０２ａ，２０２ｂのｚ軸方向の負方向側の主面上に設けられている。レセプタクル２０４ａ，２０４ｂにはそれぞれ、コネクタ１００ａ，１００ｂが接続される。これにより、コネクタ１００ａ，１００ｂの中心導体１０８には、回路基板２０２ａ，２０２ｂ間を伝送される例えば２ＧＨｚの周波数を有する高周波信号がレセプタクル２０４ａ，２０４ｂを介して印加される。また、コネクタ１００ａ，１００ｂの外部導体１１０には、回路基板２０２ａ，２０２ｂ及びレセプタクル２０４ａ，２０４ｂを介して、グランド電位に保たれる。これにより、高周波信号伝送線路１０は、回路基板２０２ａ，２０２ｂ間を接続している。
【００６７】
ここで、バッテリーパック２０６のｚ軸方向の負方向側の主面とレセプタクル２０４ａ，２０４ｂとの間には段差が存在する。よって、誘電体素体１２の線路部１２ａの両端が湾曲させられることによって、コネクタ１００ａ，１００ｂはそれぞれ、レセプタクル２０４ａ，２０４ｂに接続されている。
【００６８】
（高周波信号伝送線路の製造方法）
以下に、高周波信号伝送線路１０の製造方法について図２を参照しながら説明する。以下では、一つの高周波信号伝送線路１０が作製される場合を例にとって説明するが、実際には、大判の誘電体シートが積層及びカットされることにより、同時に複数の高周波信号伝送線路１０が作製される。
【００６９】
まず、表面の全面に銅箔が形成された熱可塑性樹脂からなる誘電体シート１８を準備する。誘電体シート１８の銅箔の表面は、例えば、防錆のための亜鉛鍍金が施されることにより、平滑化されている。銅箔の厚さは、１０μｍ〜２０μｍである。
【００７０】
次に、フォトリソグラフィ工程により、図２に示すグランド導体２２及び外部端子１６ａ，１６ｂを誘電体シート１８ａの表面に形成する。具体的には、誘電体シート１８ａの銅箔上に、図２に示すグランド導体２２及び外部端子１６ａ，１６ｂと同じ形状のレジストを印刷する。そして、銅箔に対してエッチング処理を施すことにより、レジストにより覆われていない部分の銅箔を除去する。その後、レジストを除去する。これにより、図２に示すような、グランド導体２２及び外部端子１６ａ，１６ｂが誘電体シート１８ａの表面に形成される。
【００７１】
次に、フォトリソグラフィ工程により、図２に示す接続導体２５ａ，２５ｂを誘電体シート１８ｂの表面に形成する。フォトリソグラフィ工程により、図２に示す接続導体２６ａ，２６ｂを誘電体シート１８ｃの表面に形成する。フォトリソグラフィ工程により、図２に示す信号線２０及び接続導体２７ａ，２７ｂを誘電体シート１８ｄの表面に形成する。フォトリソグラフィ工程により、図２に示すグランド導体２４を誘電体シート１８ｅの表面に形成する。なお、ここでのフォトリソグラフィ工程は、グランド導体２２及び外部端子１６ａ，１６ｂを形成する際のフォトリソグラフィ工程と同様であるので、説明を省略する。
【００７２】
次に、誘電体シート１８ａ〜１８ｄのビアホール導体Ｂ１〜Ｂ８，ｂ１１〜ｂ１６が形成される位置に対して、裏面側からレーザービームを照射して、貫通孔を形成する。その後、誘電体シート１８ａ〜１８ｄに形成した貫通孔に対して、導電性ペーストを充填する。
【００７３】
次に、誘電体シート１８ａ〜１８ｅをｚ軸方向の正方向側から負方向側へとこの順に積み重ねる。そして、誘電体シート１８ａ〜１８ｅに対してｚ軸方向の正方向側及び負方向側から熱及び圧力を加えることにより、誘電体シート１８ａ〜１８ｅを軟化させて圧着・一体化するとともに、貫通孔に充填された導電性ペーストを固化して、図２に示すビアホール導体Ｂ１〜Ｂ８，ｂ１１〜ｂ１６を形成する。なお、各誘電体シート１８は、熱圧着に代えてエポキシ系樹脂等の接着剤を用いて一体化されてもよい。なお、ビアホール導体Ｂ１〜Ｂ８，ｂ１１〜ｂ１６は必ずしも貫通孔が導体で完全に埋められている必要はなく、例えば貫通孔の内周面のみに沿って導体を形成することによって形成されてもよい。
【００７４】
最後に、樹脂（レジスト）ペーストを塗布することにより、誘電体シート１８ａ上に保護層１４を形成する。
【００７５】
（効果）
以上のように構成された高周波信号伝送線路１０によれば、高周波信号伝送線路１０を容易に湾曲させることができる。より詳細には、特許文献１に記載の信号線路では、図１５に示すように、複数のビアホール導体Ｂ５０２，Ｂ５０４が直線状に接続されている。積層体５０２が上側に突出するように湾曲する場合には、上側に位置する絶縁体層５０２ａが左右方向に引っ張られ、下側に位置する絶縁体層５０２ｄが左右方向から圧縮される。これにより、ビアホール導体Ｂ５０２，Ｂ５０４は、絶縁体層５０２ａ，５０２ｄの復元力により上下方向から力Ｆを受ける。ビアホール導体Ｂ５０２，Ｂ５０４は、力Ｆを受けることにより、矢印αに示す左右方向に倒れる。以上の動作により、積層体５０２が湾曲する。
【００７６】
ところが、図１５に示すように、力Ｆは、ビアホール導体Ｂ５０２、Ｂ５０４を左右方向に倒す成分の力を殆ど有していない。そのため、積層体５０２を湾曲させるためには、大きな力Ｆを加えてビアホール導体Ｂ５０２，Ｂ５０４を左右方向に倒す必要がある。よって、特許文献１に記載の信号線路５００では、積層体５０２を湾曲させることが困難であった。また、大きな力Ｆによってグランド導体２２，２４にクラックが入りグランド導体２２，２４が断線したり、ビアホール導体Ｂ５０２，Ｂ５０４にクラックが入ったりして高周波信号伝送線路１０が壊れてしまう恐れがあった。
【００７７】
一方、高周波信号伝送線路１０では、層間接続部Ｃ１，Ｃ２は、ｚ軸方向において隣り合う誘電体シート１８ａ〜１８ｄを貫通している２つのビアホール導体Ｂ１〜Ｂ８であって、ｚ軸方向から平面視したときに中心軸が重ならないビアホール導体Ｂ１〜Ｂ８を含んでいる。高周波信号伝送線路１０では、全てのビアホール導体Ｂ１〜Ｂ８の中心軸が重なっていない。これにより、層間接続部Ｃ１，Ｃ２は、ｙ軸方向から平面視したときに傾斜するようになる。その結果、図３に示すように、層間接続部Ｃ１，Ｃ２がｚ軸方向の正方向側から力Ｆを受けると、層間接続部Ｃ１，Ｃ２を反時計回りに回転させるモーメントが発生する。よって、層間接続部Ｃ１，Ｃ２が倒れて、高周波信号伝送線路１０が湾曲する。以上より、高周波信号伝送線路１０を容易に湾曲させることができる。
【００７８】
また、高周波信号伝送線路１０では、以下の理由によっても、高周波信号伝送線路１０を容易に湾曲させることができる。より詳細には、高周波信号伝送線路１０では、中心軸が重ならないビアホール導体Ｂ１〜Ｂ８は、誘電体シート１８ｂ〜１８ｄ上に設けられている接続導体２５ａ〜２７ａ，２５ｂ〜２７ｂにより接続されている。接続導体２５ａ〜２７ａ，２５ｂ〜２７ｂは、層状の導体であるので、柱状のビアホール導体Ｂ１〜Ｂ８よりも変形しやすい。特に、高周波信号伝送線路１０の厚み方向に湾曲させる方向に対して変形しやすい。よって、高周波信号伝送線路１０が湾曲させられる際には、接続導体２５ａ〜２７ａ，２５ｂ〜２７ｂが湾曲するようになる。その結果、高周波信号伝送線路１０を容易に湾曲させることができる。
【００７９】
また、高周波信号伝送線路１０では、誘電体素体１２の表面及び裏面において、層間接続部Ｃ１，Ｃ２が設けられている部分が突出することが抑制される。図６は、比較例に係る高周波信号伝送線路６１０の層間接続部Ｃ６００の断面構造図である。
【００８０】
図６に示す高周波信号伝送線路６１０では、層間接続部Ｃ６００は、ビアホール導体Ｂ６０１〜Ｂ６０４が接続されることにより直線状をなしている。ビアホール導体Ｂ６０１〜Ｂ６０４は誘電体シート６１８ａ〜６１８ｅよりも硬いので、誘電体シート６１８ａ〜６１８ｅの熱圧着時にビアホール導体Ｂ６０１〜Ｂ６０４が高周波信号伝送線路６１０の表面及び裏面において突出してしまう。
【００８１】
一方、高周波信号伝送線路１０では、層間接続部Ｃ１，Ｃ２は、ｚ軸方向において隣り合う誘電体シート１８ａ〜１８ｄを貫通している２つのビアホール導体Ｂ１〜Ｂ８であって、ｚ軸方向から平面視したときに中心軸が重ならないビアホール導体Ｂ１〜Ｂ８を含んでいる。すなわち、高周波信号伝送線路１０では、ビアホール導体Ｂ１〜Ｂ４及びビアホール導体Ｂ５〜Ｂ８が直線状に並んでいない。これにより、誘電体素体１２の表面及び裏面において、層間接続部Ｃ１，Ｃ２が設けられている部分が突出することが抑制される。
【００８２】
また、高周波信号伝送線路１０では、高周波信号伝送線路１０が湾曲した際に、接続導体２５ａ〜２７ａ，２５ｂ〜２７ｂが湾曲するので、ビアホール導体Ｂ１〜Ｂ８に大きな力が加わることが抑制される。そのため、湾曲させられようとするビアホール導体Ｂ１〜Ｂ８の復元力がビアホール導体Ｂ１〜Ｂ８の周囲の誘電体シート１８ａ〜１８ｄやグランド導体２２，２４に伝わることが抑制される。その結果、誘電体シート１８ａ〜１８ｄ又はグランド導体２２，２４に破損が発生することが抑制される。よって、高周波信号伝送線路１０の挿入損失が低減される。
【００８３】
また、高周波信号伝送線路１０では、不要輻射が発生することが抑制される。より詳細には、特許文献１に記載の信号線路５００では、信号線の側方には、直線状に接続されたビアホール導体Ｂ５０２，Ｂ５０４が設けられているのみである。そのため、ビアホール導体Ｂ５０２，Ｂ５０４の間から不要輻射が発生しやすい。
【００８４】
一方、高周波信号伝送線路１０では、層間接続部Ｃ１，Ｃ２は、ｚ軸方向において隣り合う誘電体シート１８ａ〜１８ｄを貫通している２つのビアホール導体Ｂ１〜Ｂ８であって、ｚ軸方向から平面視したときに中心軸が重ならないビアホール導体Ｂ１〜Ｂ８を含んでいる。すなわち、高周波信号伝送線路１０では、ビアホール導体Ｂ１〜Ｂ４及びビアホール導体Ｂ５〜Ｂ８が直線状に並んでいない。そのため、層間接続部Ｃ１，Ｃ２のｘ軸方向の幅は、ビアホール導体Ｂ５０２，Ｂ５０４のｘ軸方向の幅よりも広くなる。これにより、信号線２０が放射したノイズは、層間接続部Ｃ１，Ｃ２のビアホール導体Ｂ１〜Ｂ８に吸収されやすくなる。よって、高周波信号伝送線路１０では、ｙ軸方向の負方向側および正方向側の側面からの不要輻射が抑制される。
【００８５】
更に、高周波信号伝送線路１０では、接続導体２５ａ〜２７ａ，２５ｂ〜２７ｂが設けられている。よって、信号線２０が放射したノイズは、接続導体２５ａ〜２７ａ，２５ｂ〜２７ｂによっても吸収される。したがって、高周波信号伝送線路１０では、ｙ軸方向の負方向側および正方向側の側面からの不要輻射がより効果的に抑制される。
【００８６】
また、高周波信号伝送線路１０では、層間接続部Ｃ１，Ｃ２は、隣り合う開口３０に挟まれたブリッジ部６０においてグランド導体２４に接続されている。これにより、ブリッジ部６０の電位がグランドに近づくようになり、ブリッジ部６０に不要なインダクタ成分が発生することが抑制される。
【００８７】
また、高周波信号伝送線路１０では、領域Ａ１における信号線２０の特性インピーダンスは、領域Ａ３，Ａ４における信号線２０の特性インピーダンスよりも高い。また、領域Ａ３，Ａ４における信号線２０の特性インピーダンスは、領域Ａ２における信号線２０の特性インピーダンスよりも高い。より詳細には、信号線２０の特性インピーダンスは、以下に説明するように、隣り合う２つのブリッジ部６０間において、一方のブリッジ部６０から他方のブリッジ部６０に近づくにしたがって、最小値Ｚ２、中間値Ｚ３、最大値Ｚ１と増加した後に、最大値Ｚ１、中間値Ｚ３、最小値Ｚ２へと減少するように変動する。
【００８８】
開口部３０ｂのｙ軸方向の幅Ｗ１は、開口部３０ａ，３０ｃのｙ軸方向の幅Ｗ２よりも大きい。そのため、領域Ａ１における信号線２０とグランド導体２４との距離は、領域Ａ３，Ａ４における信号線２０とグランド導体２４との距離よりも大きい。これにより、領域Ａ１における信号線２０に発生する磁界の強度が、領域Ａ３，Ａ４における信号線２０に発生する磁界の強度よりも大きくなる。すなわち、領域Ａ１における信号線２０のインダクタンス成分が大きくなる。つまり、領域Ａ１における信号線２０ではＬ性が支配的になる。
【００８９】
一方、領域Ａ２における信号線２０とグランド導体２４との距離は、領域Ａ３，Ａ４における信号線２０とグランド導体２４との距離よりも小さい。これにより、領域Ａ２における信号線２０に発生する容量が、領域Ａ３，Ａ４における信号線２０に発生する容量よりも大きくなる。更に、領域Ａ２における磁界強度が領域Ａ３，Ａ４における磁界強度より小さくなる。つまり、領域Ａ２における信号線２０ではＣ性が支配的になる。
【００９０】
以上より、領域Ａ１では、信号線２０とグランド導体２４との間に殆ど容量が発生しないので、主に、信号線２０のインダクタンスによって最大値Ｚ１が発生する。また、領域Ａ２では、信号線２０とグランド導体２４との間に大きな容量が発生しているので、主に、容量によって最小値Ｚ２が発生する。また、領域Ａ３，Ａ４では、インダクタンス及び容量によって中間値Ｚ３が発生する。その結果、信号線２０の特性インピーダンスは、最大値Ｚ１、中間値Ｚ３、最小値Ｚ２と減少した後に最小値Ｚ２、中間値Ｚ３、最大値Ｚ１と増加する周期的変動を繰り返す。最大値Ｚ１は、例えば、７０Ωである。最小値Ｚ２は、例えば、３０Ωである。中間値Ｚ３は、例えば、５０Ωである。ただし、信号線２０全体の特性インピーダンスが所定の特性インピーダンス（例えば、５０Ω）となるように、最大値Ｚ１、最小値Ｚ２及び中間値Ｚ３が設計される。
【００９１】
また、高周波信号伝送線路１０によれば、グランド導体２４におけるグランド電位の安定化にともなう伝送ロスの低減、さらにはシールド特性の向上ができる。より詳細には、高周波信号伝送線路１０では、開口部３０ｂのｙ軸方向の幅Ｗ１は、開口部３０ａ，３０ｃのｙ軸方向の幅Ｗ２よりも大きい。これにより、高周波信号伝送線路１０では、領域Ａ１における信号線２０の磁界エネルギーは、領域Ａ３，Ａ４における信号線２０の磁界エネルギーよりも高くなる。また、領域Ａ２における信号線２０の磁界エネルギーは、領域Ａ３，Ａ４における信号線２０の磁界エネルギーよりも低くなる。よって、信号線２０の特性インピーダンスが、Ｚ２、Ｚ３、Ｚ１、Ｚ３、Ｚ２・・・の順に繰り返し変動するようになる。よって、信号線２０において、ｘ軸方向に隣り合う部分における磁界エネルギーの変動が緩やかになる。その結果、開口３０とブリッジ部６０との境界において磁界エネルギーが小さくなり、グランド導体２４のグランド電位の変動が抑制され、不要輻射の発生および高周波信号の伝送損失が抑制される。
【００９２】
（第１の変形例）
以下に、第１の変形例に係る高周波信号伝送線路１０ａについて図面を参照しながら説明する。図７は、第１の変形例に係る高周波信号伝送線路１０ａの断面構造図である。図７では、ビアホール導体Ｂ１〜Ｂ８及び接続導体２５ａ，２５ｂ，２６ａ，２６ｂ，２７ａ，２７ｂを重ねて図示した。
【００９３】
高周波信号伝送線路１０では、全ての層間接続部Ｃ１，Ｃ２は、ｙ軸方向から平面視したときに、同じ方向に傾斜している。一方、高周波信号伝送線路１０ａでは、ｘ軸方向に隣り合う層間接続部Ｃ１，Ｃ２は、ｙ軸方向から平面視したときに、反対方向に傾斜している。以上のように構成された高周波信号伝送線路１０ａにおいても、高周波信号伝送線路１０と同じ作用効果を奏することができる。
【００９４】
ただし、高周波信号伝送線路１０の方が高周波信号伝送線路１０ａよりも、グランド導体２２，２４の電位が接地電位に安定する。より詳細には、高周波信号伝送線路１０ａでは、ｘ軸方向に隣り合う層間接続部Ｃ１，Ｃ２は、ｙ軸方向から平面視したときに、反対方向に傾斜している。よって、図７に示すように、ｘ軸方向に隣り合う層間接続部Ｃ１，Ｃ２の間隔が相対的に広い区間Ｅ１とｘ軸方向に隣り合う層間接続部Ｃ１，Ｃ２の間隔が相対的に狭い区間Ｅ２とが形成される。その結果、区間Ｅ２におけるグランド導体２２，２４の電位は接地電位に安定しやすくなり、区間Ｅ１におけるグランド導体２２，２４の電位は接地電位に安定しにくくなる。よって、高周波信号伝送線路１０ａでは、高周波信号伝送線路１０と比較しして区間Ｅ１から不要輻射が発生しやすい。
【００９５】
一方、高周波信号伝送線路１０では、図３に示すように、ｘ軸方向に隣り合う層間接続部Ｃ１，Ｃ２は、ｙ軸方向から平面視したときに、同方向に傾斜している。よって、図３に示すように、ｘ軸方向に隣り合う層間接続部Ｃ１，Ｃ２の間隔が均一となる。その結果、グランド導体２２，２４の電位にむらが発生しにくくなり、グランド導体２２，２４の電位が接地電位に安定しやすくなる。よって、高周波信号伝送線路１０では、不要輻射が発生しにくい。
【００９６】
（第２の変形例）
以下に、第２の変形例に係る高周波信号伝送線路１０ｂについて図面を参照しながら説明する。図８は、第２の変形例に係る高周波信号伝送線路１０ｂの断面構造図である。図８では、ビアホール導体Ｂ１〜Ｂ８及び接続導体２５ａ，２５ｂ，２６ａ，２６ｂ，２７ａ，２７ｂを重ねて図示した。
【００９７】
高周波信号伝送線路１０ｂでは、層間接続部Ｃ１，Ｃ２はジグザグ形状をなしている。より詳細には、ｚ軸方向から平面視したときに、ビアホール導体Ｂ１，Ｂ３の中心軸が重なっており、ビアホール導体Ｂ２，Ｂ４の中心軸が重なっている。そして、ビアホール導体Ｂ１，Ｂ３の中心軸は、ビアホール導体Ｂ２，Ｂ４よりもｘ軸方向の負方向側に位置している。同様に、ｚ軸方向から平面視したときに、ビアホール導体Ｂ５，Ｂ７の中心軸が重なっており、ビアホール導体Ｂ６，Ｂ８の中心軸が重なっている。そして、ビアホール導体Ｂ５，Ｂ７の中心軸は、ビアホール導体Ｂ６，Ｂ８よりもｘ軸方向の負方向側に位置している。以上のように構成された高周波信号伝送線路１０ｂにおいても、高周波信号伝送線路１０と同じ作用効果を得ることができる。
【００９８】
（第３の変形例）
以下に、第３の変形例に係る高周波信号伝送線路１０ｃについて図面を参照しながら説明する。図９は、第３の変形例に係る高周波信号伝送線路１０ｃの断面構造図である。図９では、ビアホール導体Ｂ１〜Ｂ８及び接続導体２５ａ，２５ｂ，２６ａ，２６ｂ，２７ａ，２７ｂを重ねて図示した。
【００９９】
高周波信号伝送線路１０ｃでは、ｘ軸方向に隣り合う層間接続部Ｃ１，Ｃ２は、ｙ軸方向から平面視したときに、反対方向に傾斜している。更に、ｘ軸方向に隣り合う層間接続部Ｃ１，Ｃ２同士は、ビアホール導体Ｂ１，Ｂ５及びビアホール導体Ｂ４，Ｂ８を共有している。すなわち、ビアホール導体Ｂ１，Ｂ５から２本の層間接続部Ｃ１，Ｃ２に枝分かれしている。また、ビアホール導体Ｂ４，Ｂ８から２本の層間接続部Ｃ１，Ｃ２に枝分かれしている。以上のように構成された高周波信号伝送線路１０ｃにおいても、高周波信号伝送線路１０と同じ作用効果に加え、高周波信号伝送線路１０と比較してｙ軸方向の負方向側および正方向側の側面からの不要輻射をさらに抑制できるという効果を得ることができる。
【０１００】
（第４の変形例）
以下に、第４の変形例に係る高周波信号伝送線路１０ｄについて図面を参照しながら説明する。図１０は、第４の変形例に係る高周波信号伝送線路１０ｄの誘電体素体１２の分解図である。図１１は、第４の変形例に係る高周波信号伝送線路１０ｄの層間接続部Ｃ１をｚ軸方向から透視した図である。
【０１０１】
高周波信号伝送線路１０ｄでは、ビアホール導体Ｂ１〜Ｂ４がｘ軸方向に一列に並んでいない。同様に、ビアホール導体Ｂ５〜Ｂ８がｘ軸方向に一列に並んでいない。そして、層間接続部Ｃ１，Ｃ２は、螺旋状をなしている。
【０１０２】
より詳細には、ビアホール導体Ｂ１〜Ｂ４は、ｚ軸方向から平面視したときに、ｘ軸方向及びｙ軸方向に平行な対角線を有するひし形の角に配置されている。ビアホール導体Ｂ１は、ひし形のｙ軸方向の正方向側の角に位置している。ビアホール導体Ｂ２は、ひし形のｘ軸方向の負方向側の角に位置している。ビアホール導体Ｂ３は、ひし形のｙ軸方向の負方向側の角に位置している。ビアホール導体Ｂ４は、ひし形のｘ軸方向の正方向側の角に位置している。
【０１０３】
また、ビアホール導体Ｂ１，Ｂ２は、接続導体１２５ａにより接続されている。ビアホール導体Ｂ２，Ｂ３は、接続導体１２６ａにより接続されている。ビアホール導体Ｂ３，Ｂ４は、接続導体１２７ａにより接続されている。
【０１０４】
また、ビアホール導体Ｂ５〜Ｂ８は、ｚ軸方向から平面視したときに、ｘ軸方向及びｙ軸方向に平行な対角線を有するひし形の角に配置されている。ビアホール導体Ｂ５は、ひし形のｙ軸方向の負方向側の角に位置している。ビアホール導体Ｂ６は、ひし形のｘ軸方向の負方向側の角に位置している。ビアホール導体Ｂ７は、ひし形のｙ軸方向の正負方向側の角に位置している。ビアホール導体Ｂ８は、ひし形のｘ軸方向の正方向側の角に位置している。
【０１０５】
また、ビアホール導体Ｂ５，Ｂ６は、接続導体１２５ｂにより接続されている。ビアホール導体Ｂ６，Ｂ７は、接続導体１２６ｂにより接続されている。ビアホール導体Ｂ７，Ｂ８は、接続導体１２７ｂにより接続されている。
【０１０６】
以上のように構成された高周波信号伝送線路１０ｄにおいても、高周波信号伝送線路１０と同じ作用効果を得ることができる。
【０１０７】
（第５の変形例）
以下に、第５の変形例に係る高周波信号伝送線路１０ｅについて図面を参照しながら説明する。図１２は、第５の変形例に係る高周波信号伝送線路１０ｅの誘電体素体１２の分解図である。図１３は、第５の変形例に係る高周波信号伝送線路１０ｅの断面構造図である。
【０１０８】
グランド導体２２には、ｚ軸方向から平面視したときに、グランド導体２４に層間接続部Ｃ１，Ｃ２が接続されている部分と重なる部分に導体が設けられていない空白部Ｐ１，Ｐ２が設けられている。
【０１０９】
以上のように構成された高周波信号伝送線路１０ｅにおいても、高周波信号伝送線路１０と同じ作用効果を得ることができる。また、高周波信号伝送線路１０ｅでは、空白部Ｐ１，Ｐ２が設けられている部分において、ビアホール導体Ｂ４，Ｂ８によって誘電体素体１２が突出している部分にグランド導体２２，２４の厚みの分だけ、誘電体素体１２の薄型化が図られる。
【０１１０】
（第６の変形例）
以下に、第６の変形例に係る高周波信号伝送線路１０ｆについて図面を参照しながら説明する。図１４は、第６の変形例に係る高周波信号伝送線路１０ｆの誘電体素体１２の分解図である。
【０１１１】
図１４の高周波信号伝送線路１０ｆのように、グランド導体２４には開口３０が設けられていなくてもよい。この場合には、信号線２０とグランド導体２４との間に発生する容量を低減するために、信号線２０は、誘電体シート１８ｃに設けられる。
【０１１２】
（その他の実施形態）
本発明に係る高周波信号伝送線路は、前記実施形態に係る高周波信号伝送線路１０，１０ａ〜１０ｆに限らず、その要旨の範囲内において変更可能である。
【０１１３】
なお、層間接続部Ｃ１，Ｃ２において、例えば、ビアホール導体Ｂ１，Ｂ２の中心軸がｚ軸方向から平面視したときに重なっており、ビアホール導体Ｂ２，Ｂ３，Ｂ４の中心軸がｚ軸方向から平面視したときに重なっていなくてもよい。すなわち、ｚ軸方向に隣り合う誘電体シート１８に設けられ、かつ、中心軸が重なっているビアホール導体、及び、ｚ軸方向に隣り合う誘電体シート１８に設けられ、かつ、中心軸が重なっていないビアホール導体の両方が存在していてもよい。以上より、層間接続部Ｃ１，Ｃ２は、ｚ軸方向において隣り合う誘電体シート１８ａ〜１８ｄを貫通している２つのビアホール導体Ｂ１〜Ｂ８であって、ｚ軸方向から平面視したときに中心軸が重ならないビアホール導体Ｂ１〜Ｂ８を含んでいればよい。
【０１１４】
また、接続導体２５ａ〜２７ａ，２５ｂ〜２７ｂが存在しなくてもよい。この場合には、ビアホール導体Ｂ１〜Ｂ４は、中心軸がずらされた状態で互いに直接に接続される。同様に、ビアホール導体Ｂ５〜Ｂ８は、中心軸がずらされた状態で互いに直接に接続される。
【０１１５】
なお、グランド導体２４は、誘電体シート１８ｄ上に設けられて、信号線２０のｙ軸方向の両側において信号線２０に沿ってｘ軸方向に延在していてもよい。
【０１１６】
なお、高周波信号伝送線路１０，１０ａ〜１０ｆに示した構成を組み合わせてもよい。
【０１１７】
なお、高周波信号伝送線路１０，１０ａ〜１０ｆは、アンテナフロントエンドモジュールなどＲＦ回路基板における高周波信号伝送線路として用いられてもよい。
【産業上の利用可能性】
【０１１８】
以上のように、本発明は、高周波信号伝送線路及び電子機器に有用であり、特に、容易に湾曲させることができる点において優れている。
【符号の説明】
【０１１９】
Ｂ１〜Ｂ８  ビアホール導体
Ｃ１，Ｃ２  層間接続部
Ｐ１，Ｐ２  空白部
１０，１０ａ〜１０ｆ  高周波信号伝送線路
１２  誘電体素体
１４  保護層
１８ａ〜１８ｅ  誘電体シート
２０  信号線
２２，２４  グランド導体
２５ａ，２５ｂ，２６ａ，２６ｂ，２７ａ，２７ｂ，１２５ａ，１２５ｂ，１２６ａ，１２６ｂ，１２７ａ，１２７ｂ  接続導体
３０  開口
３０ａ〜３０ｃ  開口部
６０  ブリッジ部
【図１】
0005472555.tif 000002
【図２】
0005472555.tif 000003
【図３】
0005472555.tif 000004
【図４】
0005472555.tif 000005
【図５】
0005472555.tif 000006
【図６】
0005472555.tif 000007
【図７】
0005472555.tif 000008
【図８】
0005472555.tif 000009
【図９】
0005472555.tif 000010
【図１０】
0005472555.tif 000011
【図１１】
0005472555.tif 000012
【図１２】
0005472555.tif 000013
【図１３】
0005472555.tif 000014
【図１４】
0005472555.tif 000015
【図１５】
0005472555.tif 000016